(57)【要約】【課題】配線抵抗によって発生するピクセルの充電率偏差を補償して、表示パネルの表示品質を向上させる。【解決手段】ゲート信号及びデータ電圧を受信して、階調を表示する複数のピクセルを含む表示パネルと、前記ゲート信号を、前記表示パネルに出力するゲート駆動部と、前記表示パネル内の位置によって、互いに異なるスルーレートを有する前記データ電圧を、前記表示パネルに出力するデータ駆動部と、を含むことを特徴とする表示装置。【選択図】図２
2018018084.tif 000002
【特許請求の範囲】
【請求項１】
ゲート信号及びデータ電圧を受信して、階調を表示する複数のピクセルを含む表示パネルと、
前記ゲート信号を、前記表示パネルに出力するゲート駆動部と、
前記表示パネル内の位置によって、互いに異なるスルーレートを有する前記データ電圧を、前記表示パネルに出力するデータ駆動部と、
を含むことを特徴とする表示装置。
【請求項２】
前記データ電圧の前記スルーレートは、前記データ駆動部からの距離が遠くなるほど増加することを特徴とする請求項１に記載の表示装置。
【請求項３】
前記データ電圧の前記スルーレートは、前記データ駆動部から遠くなるほど線形的に増加することを特徴とする請求項２に記載の表示装置。
【請求項４】
前記データ電圧の前記スルーレートは、前記データ駆動部から遠くなるほど非線形的に増加し、
前記スルーレートの増加幅は、前記データ駆動部から遠くなるほど増加することを特徴とする請求項２に記載の表示装置。
【請求項５】
前記データ電圧の前記スルーレートは、前記表示パネル内の位置、及び前記表示パネルが表示する映像のパターンによって決定されることを特徴とする請求項１に記載の表示装置。
【請求項６】
前記表示パネルが表示する前記映像の前記パターンによって、１つのデータラインに出力される前記データ電圧が増加及び減少を繰り返す場合、前記データラインに出力される前記データ電圧の前記スルーレートは、減少することを特徴とする請求項５に記載の表示装置。
【請求項７】
前記データ電圧の前記スルーレートは、前記ゲート駆動部からの距離が遠くなるほど増加することを特徴とする請求項１に記載の表示装置。
【請求項８】
前記データ電圧の前記スルーレートは、前記データ駆動部からの距離が遠くなるほど増加し、前記ゲート駆動部からの距離が遠くなるほど増加することを特徴とする請求項１に記載の表示装置。
【請求項９】
前記ゲート駆動部にゲートクロック信号を出力するタイミングコントローラを、更に含み、
前記ゲート駆動部は、複数のステージを含み、
前記ゲートクロック信号は、前記ステージの位置によって、互いに異なるスルーレートを有することを特徴とする請求項１に記載の表示装置。
【請求項１０】
前記ゲートクロック信号の前記スルーレートは、前記タイミングコントローラからの距離が遠くなるほど増加することを特徴とする請求項９に記載の表示装置。
【発明の詳細な説明】
【技術分野】
【０００１】
本発明は、表示パネルの駆動方法及びこれを行うための表示装置に関し、配線抵抗によって発生するピクセルの充電率偏差を補償して、表示パネルの表示品質を向上させることができる表示パネルの駆動方法及びこれを行うための表示装置に関する。
【背景技術】
【０００２】
一般に、表示装置は、表示パネルと、表示パネル駆動部とを含む。前記表示パネルは、複数のゲートラインと、複数のデータラインと、複数のピクセルとを含む。前記表示パネル駆動部は、前記複数のゲートラインにゲート信号を供するゲート駆動部と、前記データラインにデータ電圧を供するデータ駆動部とを含む。
【０００３】
前記ピクセルは、前記ゲート信号及び前記データ電圧に応答して、階調を表示する。前記表示パネル内の位置によって、前記ゲート信号及び前記データ電圧が遅延して、前記表示パネル内の位置によって、前記ピクセルの充電率に偏差が生じることがある。
【発明の概要】
【発明が解決しようとする課題】
【０００４】
本発明の技術的課題は、このような点に着眼したものであって、本発明の目的は、配線抵抗によって発生するピクセルの充電率偏差を補償して、表示パネルの表示品質を向上させることができる表示パネルの駆動方法を提供することである。
【０００５】
本発明の他の目的は、前記表示パネルの駆動方法を行う表示装置を提供することである。
【課題を解決するための手段】
【０００６】
本発明の目的を実現するための一実施例による表示パネルの駆動方法は、ゲート信号を表示パネルに出力する段階と、前記表示パネル内の位置によって、互いに異なるスルーレートを有するデータ電圧を、前記表示パネルに出力する段階、及び前記ゲート信号及び前記データ電圧を受信して、階調を表示する段階とを含む。
【０００７】
本発明の一実施例において、前記データ電圧の前記スルーレートは、データ駆動部からの距離が遠くなるほど増加する。
【０００８】
本発明の一実施例において、前記データ電圧の前記スルーレートは、前記データ駆動部から遠くなるほど線形的に増加する。
【０００９】
本発明の一実施例において、前記データ電圧の前記スルーレートは、前記データ駆動部から遠くなるほど非線形的に増加する。前記データ電圧の前記スルーレートの増加幅は、前記データ駆動部から遠くなるほど増加する。
【００１０】
本発明の一実施例において、前記データ電圧の前記スルーレートは、前記表示パネル内の位置、及び前記表示パネルが表示する映像のパターンによって決定される。
【００１１】
本発明の一実施例において、前記表示パネルが表示する前記映像の前記パターンによって、１つのデータラインに出力される前記データ電圧が増加及び減少を繰り返す場合、前記データラインに出力される前記データ電圧の前記スルーレートは、減少する。
【００１２】
本発明の一実施例において、前記データ電圧の前記スルーレートは、前記ゲート駆動部からの距離が遠くなるほど増加する。
【００１３】
本発明の一実施例において、前記データ電圧の前記スルーレートは、前記データ駆動部からの距離が遠くなるほど増加し、前記ゲート駆動部からの距離が遠くなるほど増加する。
【００１４】
本発明の一実施例において、ゲート駆動部は、複数のステージを含む。前記表示パネルの駆動方法は、前記ステージの位置によって、互いに異なるスルーレートを有するゲートクロック信号を、前記ゲート駆動部に出力する段階を、更に含む。
【００１５】
本発明の一実施例において、前記ゲートクロック信号の前記スルーレートは、前記ゲート駆動部に前記ゲートクロック信号を出力するタイミングコントローラからの距離が遠くなるほど増加する。
【００１６】
本発明の他の目的を実現するための一実施例による表示装置は、表示パネルと、ゲート駆動部と、データ駆動部とを含む。前記表示パネルは、ゲート信号及びデータ電圧を受信して、階調を表示する複数のピクセルを含む。前記ゲート駆動部は、前記ゲート信号を前記表示パネルに出力する。前記データ駆動部は、前記表示パネル内の位置によって、互いに異なるスルーレートを有する前記データ電圧を、前記表示パネルに出力する。
【００１７】
本発明の一実施例において、前記データ電圧の前記スルーレートは、前記データ駆動部からの距離が遠くなるほど、増加する。
【００１８】
本発明の一実施例において、前記データ電圧の前記スルーレートは、前記データ駆動部から遠くなるほど、線形的に増加する。
【００１９】
本発明の一実施例において、前記データ電圧の前記スルーレートは、前記データ駆動部から遠くなるほど非線形的に増加する。前記スルーレートの増加幅は、前記データ駆動部から遠くなるほど、増加する。
【００２０】
本発明の一実施例において、前記データ電圧の前記スルーレートは、前記表示パネル内の位置、及び前記表示パネルが表示する映像のパターンによって、決定される。
【００２１】
本発明の一実施例において、前記表示パネルが表示する前記映像の前記パターンによって、１つのデータラインに出力される前記データ電圧が増加及び減少を繰り返す場合、前記データラインに出力される前記データ電圧の前記スルーレートは、減少する。
【００２２】
本発明の一実施例において、前記データ電圧の前記スルーレートは、前記ゲート駆動部からの距離が遠くなるほど、増加する。
【００２３】
本発明の一実施例において、前記データ電圧の前記スルーレートは、前記データ駆動部からの距離が遠くなるほど増加し、前記ゲート駆動部からの距離が遠くなるほど増加する。
【００２４】
本発明の一実施例において、前記表示装置は、前記ゲート駆動部にゲートクロック信号を出力するタイミングコントローラを、更に含む。前記ゲート駆動部は、複数のステージを含む。前記ゲートクロック信号は、前記ステージの位置によって、互いに異なるスルーレートを有する。
【００２５】
本発明の一実施例において、前記ゲートクロック信号の前記スルーレートは、前記タイミングコントローラからの距離が遠くなるほど増加する。
【００２６】
本発明の他の目的を実現するための一実施例による表示装置は、表示パネルと、ゲート駆動部と、データ駆動部とを含む。前記表示パネルは、第１のピクセルと、前記第１のピクセルと同一のデータラインに連結される第２のピクセルとを含む。前記ゲート駆動部は、ゲート信号を前記表示パネルに出力する。前記データ駆動部は、データ電圧を前記表示パネルに出力する。前記第１のピクセルと前記データ駆動部の間の第１の距離は、前記第２のピクセルと前記第２のデータ駆動部の間の第２の距離よりも小さい。前記第１のピクセルに印加される第１のデータ電圧の第１のスルーレートは、前記第２のピクセルに印加される第２のデータ電圧の第２のスルーレートよりも小さい。
【００２７】
更に、本発明の他の目的を実現するための一実施例による表示装置は、表示パネルと、ゲート駆動部と、データ駆動部とを含む。前記表示パネルは、ゲート信号及びデータ電圧を受信して、階調を表示する複数のピクセルを含む。前記ゲート駆動部は、前記表示パネル内の位置によって、互いに異なるスルーレートを有する前記ゲート信号を、前記表示パネルに出力する。前記データ駆動部は、前記データ電圧を、前記表示パネルに出力する。
【００２８】
本発明の一実施例において、前記表示装置は、前記ゲート駆動部にゲートクロック信号を出力するタイミングコントローラを、更に含む。前記ゲート駆動部は、前記表示パネルが、前記表示パネル上に集積されることができる。前記ゲート駆動部は、複数のステージを含む。前記ゲートクロック信号は、前記ステージの位置によって、互いに異なるスルーレートを有する。
【００２９】
本発明の一実施例において、前記ゲートクロック信号の前記スルーレートは、前記タイミングコントローラからの距離が遠くなるほど増加する。
【発明の効果】
【００３０】
本発明の表示パネルの駆動方法及びこれを行う表示装置によると、データラインの伝達遅延によるピクセルの充電率偏差、又はゲートラインの伝達遅延によるピクセルの充電率偏差を補償するために、データ駆動部が出力するデータ電圧のスルーレートを調節することができる。また、クロックラインの伝達遅延によるゲート信号の波形の偏差を補償するために、ゲートクロック信号のスルーレートを調節することができる。そのため、表示パネルの表示品質を向上させることができる。
【図面の簡単な説明】
【００３１】
【図１】本発明の一実施例による表示装置を示すブロック図である。
【図２】図１の表示パネル内の位置によるデータ電圧の波形を説明するための表示パネルの概念図である。
【図３】図２の第１の領域、第２の領域、及び第３の領域のピクセルに出力するデータ電圧を示す波形図である。
【図４】図３のデータ電圧を出力した時、前記第１の領域、前記第２の領域、及び前記第３の領域のピクセルに受信されるデータ電圧を示す波形図である。
【図５】図１の表示パネルに出力するデータ電圧のスルーレートを設定する方法の一例を説明するための表示パネルの概念図である。
【図６】図１の表示パネルに出力するデータ電圧のスルーレートを設定する方法の一例を説明するための表示パネルの概念図である。
【図７】本発明の一実施例による表示パネルの第１の領域、第２の領域、及び第３の領域のピクセルに出力するデータ電圧を示す波形図である。
【図８】図７のデータ電圧を印加した時、前記第１の領域、前記第２の領域、及び前記第３の領域のピクセルに受信されるデータ電圧を示す波形図である。
【図９】図７の表示パネルに表示される映像のパターンによって、図７の表示パネルの第１の領域、第２の領域、及び第３の領域のピクセルに出力するデータ電圧を示す波形図である。
【図１０】図９のデータ電圧を印加した時、前記第１の領域、前記第２の領域、及び前記第３の領域のピクセルに受信されるデータ電圧を示す波形図である。
【図１１】本発明の一実施例による表示パネル内の位置によるデータ電圧の波形を説明するための表示パネルの概念図である。
【図１２】図１１の第１の領域、第２の領域、及び第３の領域のピクセルで受信されるゲート信号及びデータ電圧を示す波形図である。
【図１３】図１１の第１の領域、第２の領域、及び第３の領域のピクセルで受信されるゲート信号、及び前記第１の領域、第２の領域、及び第３の領域のピクセルに出力するデータ電圧を示す波形図である。
【図１４】本発明の一実施例による表示パネル内の位置によるデータ電圧の波形を説明するための表示パネルの概念図である。
【図１５】図１４の第１の領域、第２の領域、第３の領域、及び第４の領域のピクセルで受信されるゲート信号及びデータ電圧を示す波形図である。
【図１６】図１４の第１の領域、第２の領域、第３の領域、及び第４の領域のピクセルで受信されるゲート信号、及び前記第１の領域、第２の領域、第３の領域、及び第４の領域のピクセルに出力するデータ電圧を示す波形図である。
【図１７】本発明の一実施例によるゲート駆動部内の位置によるゲートクロック信号の波形を説明するためのゲート駆動部の概念図である。
【図１８】図１７の各ステージに出力するゲートクロック信号を示す波形図である。
【図１９】図１７の各ステージにゲートクロック信号を出力した時、前記各ステージに受信されるゲートクロック信号を示す波形図である。
【発明を実施するための形態】
【００３２】
以下、添付の図面を参照して、本発明をより詳細に説明することにする。
【００３３】
図１は、本発明の一実施例による表示装置を示すブロック図である。
【００３４】
図１に示しているように、前記表示装置は、表示パネル１００と、表示パネル駆動部とを含む。前記表示パネル駆動部は、タイミングコントローラ２００と、ゲート駆動部３００と、ガンマ基準電圧生成部４００と、データ駆動部５００とを含む。
【００３５】
前記表示パネル１００は、映像を表示する表示部と、前記表示部に隣接して配置される周辺部とを含む。
【００３６】
前記表示パネル１００は、複数のゲートライン（ＧＬ）と、複数のデータライン（ＤＬ）と、前記ゲートライン（ＧＬ）と前記データライン（ＤＬ）のそれぞれに電気的に連結される複数のピクセルとを含む。前記ゲートライン（ＧＬ）は、第１の方向（Ｄ１）に延在し、前記データライン（ＤＬ）は、前記第１の方向（Ｄ１）と交差する第２の方向（Ｄ２）に延在する。
【００３７】
各ピクセルは、スイッチング素子（図示せず）、前記スイッチング素子に電気的に連結された液晶キャパシタ（図示せず）、ストレージキャパシタ（図示せず）を含むことができる。前記ピクセルは、マトリックス状に配置される。
【００３８】
前記タイミングコントローラ２００は、外部の装置（図示せず）から、入力映像データ（ＩＭＧ）及び入力制御信号（ＣＯＮＴ）を受信する。例えば、前記入力映像データは、赤色映像データ、緑色映像データ、及び青色映像データを含む。前記入力制御信号（ＣＯＮＴ）は、マスタークロック信号、データイネーブル信号を含む。また、前記入力制御信号（ＣＯＮＴ）は、垂直同期信号及び水平同期信号を含む。
【００３９】
前記タイミングコントローラ２００は、前記入力映像データ（ＩＭＧ）及び前記入力制御信号（ＣＯＮＴ）を基に、第１の制御信号（ＣＯＮＴ１）、第２の制御信号（ＣＯＮＴ２）、第３の制御信号（ＣＯＮＴ３）、及びデータ信号（ＤＡＴＡ）を生成する。
【００４０】
前記タイミングコントローラ２００は、前記入力制御信号（ＣＯＮＴ）を基に、前記ゲート駆動部３００の動作を制御するための前記第１の制御信号（ＣＯＮＴ１）を生成して、前記ゲート駆動部３００に出力する。前記第１の制御信号（ＣＯＮＴ１）は、垂直開始信号及びゲートクロック信号を含む。
【００４１】
前記タイミングコントローラ２００は、前記入力制御信号（ＣＯＮＴ）を基に、前記データ駆動部５００の動作を制御するための前記第２の制御信号（ＣＯＮＴ２）を生成し、前記データ駆動部５００に出力する。前記第２の制御信号（ＣＯＮＴ２）は、水平開始信号及びロード信号を含む。
【００４２】
前記タイミングコントローラ２００は、前記入力映像データ（ＩＭＧ）を基に、データ信号（ＤＡＴＡ）を生成する。前記タイミングコントローラ２００は、前記データ信号（ＤＡＴＡ）を、前記データ駆動部５００に出力する。
【００４３】
前記タイミングコントローラ２００は、前記入力制御信号（ＣＯＮＴ）を基に、前記ガンマ基準電圧生成部４００の動作を制御するための前記第３の制御信号（ＣＯＮＴ３）を生成して、前記ガンマ基準電圧生成部４００に出力する。
【００４４】
前記ゲート駆動部３００は、前記タイミングコントローラ２００から入力された前記第１の制御信号（ＣＯＮＴ１）に応答して、前記ゲートライン（ＧＬ）を駆動するためのゲート信号を生成する。前記ゲート駆動部３００は、前記ゲート信号を、前記ゲートライン（ＧＬ）に順次出力する。
【００４５】
前記ガンマ基準電圧生成部４００は、前記タイミングコントローラ２００から入力された前記第３の制御信号（ＣＯＮＴ３）に応答して、ガンマ基準電圧（ＶＧＲＥＦ）を生成する。前記ガンマ基準電圧生成部４００は、前記ガンマ基準電圧（ＶＧＲＥＦ）を、前記データ駆動部５００に提供する。前記ガンマ基準電圧（ＶＧＲＥＦ）は、それぞれのデータ信号（ＤＡＴＡ）に対応する値を有する。
【００４６】
例えば、前記ガンマ基準電圧生成部４００は、前記タイミングコントローラ２００内に配置されるか、前記データ駆動部５００内に配置される。
【００４７】
前記データ駆動部５００は、前記タイミングコントローラ２００から、前記第２の制御信号（ＣＯＮＴ２）及び前記データ信号（ＤＡＴＡ）を入力され、前記ガンマ基準電圧生成部４００から、前記ガンマ基準電圧（ＶＧＲＥＦ）を入力される。前記データ駆動部５００は、前記データ信号（ＤＡＴＡ）を、前記ガンマ基準電圧（ＶＧＲＥＦ）を用いて、アナログ形態のデータ電圧に変換する。前記データ駆動部５００は、前記データ電圧を前記データライン（ＤＬ）に出力する。
【００４８】
図２は、図１の表示パネル内の位置によるデータ電圧の波形を説明するための表示パネルの概念図である。図３は、図２の第１の領域、第２の領域、及び第３の領域のピクセルに出力するデータ電圧を示す波形図である。図４は、図３のデータ電圧を出力した時、前記第１の領域、前記第２の領域、及び前記第３の領域のピクセルに受信されるデータ電圧を示す波形図である。
【００４９】
図１〜図４に示しているように、前記データ駆動部５００は、データ駆動チップ（ＤＩＣ）と、前記データ駆動チップ（ＤＩＣ）を印刷回路基板（ＰＣＢ）に連結するフレキシブル印刷回路（ＦＰＣ）とを含む。例えば、前記データ駆動部５００は、複数のデータ駆動チップ（ＤＩＣ）を含む。前記タイミングコントローラ２００は、前記印刷回路基板（ＰＣＢ）内に配置される。
【００５０】
前記データ駆動部５００から延在されるデータライン（ＤＬ）に沿って、前記表示パネル１００にデータ電圧が出力される。この時、前記データライン（ＤＬ）の配線抵抗によって、前記データ電圧の電波が遅延することがある。
【００５１】
図２において、第１の領域（ＰＡ）、第２の領域（ＰＢ）、及び第３の領域（ＰＣ）のうち、前記第１の領域（ＰＡ）は、前記データ駆動部５００からの距離が最も近く、前記第２の領域（ＰＢ）は、前記データ駆動部５００からの距離が前記第１の領域よりも遠く、前記第３の領域（ＰＣ）は、前記データ駆動部５００からの距離が最も遠い。
【００５２】
前記第１の領域（ＰＡ）、前記第２の領域（ＰＢ）、及び前記第３の領域（ＰＣ）に同一のデータ電圧を出力する場合、前記第１の領域（ＰＡ）、前記第２の領域（ＰＢ）、及び前記第３の領域（ＰＣ）のうち、前記第３の領域（ＰＣ）のピクセルで受信されるデータ電圧の電波遅延が最も大きく、前記第２の領域（ＰＢ）のピクセルで受信されるデータ電圧の電波遅延は、前記第３の領域（ＰＣ）よりも小さく、前記第１の領域（ＰＡ）のピクセルで受信されるデータ電圧の電波遅延が最も小さい。
【００５３】
前記第１の領域（ＰＡ）、前記第２の領域（ＰＢ）、及び前記第３の領域（ＰＣ）に同一のデータ電圧を出力する場合、前記データ電圧の電波遅延によって、前記第１の領域（ＰＡ）、前記第２の領域（ＰＢ）、及び前記第３の領域（ＰＣ）のうち、前記第３の領域（ＰＣ）のピクセルの充電率がもっとも小さく、前記第２の領域（ＰＢ）のピクセルの充電率は、前記第３の領域（ＰＣ）よりも大きく、前記第１の領域（ＰＡ）のピクセルの充電率が最も大きい。
【００５４】
前記表示パネル１００内の位置による前記ピクセルの充電率の偏差によって、前記表示パネル１００にアーティファクトが生じることがある。例えば、同一階調に対して、前記データ駆動部５００と距離が遠い前記表示パネル１００の下部の精度が、前記データ駆動部５００と近い前記表示パネル１００の上部の輝度よりも暗いことがある。
【００５５】
前記表示パネル１００内における位置による充電率偏差を補償するため、前記データ駆動部５００は、前記表示パネル１００内の位置によって、互いに異なるスルーレートを有する前記データ電圧を出力することができる。スルーレートは、一定時間の間、変わる電圧と定義することができる。前記スルーレートが大きいと、一定時間の間、電圧が大きく変わるものであり、また、前記スルーレートが大きいと、波形の上り及び下りが相対的に早い。前記スルーレートが小さいと、一定時間の間、電圧が小さく変わるものであり、また、前記スルーレートが小さいと、波形の上り及び下りが相対的に遅い。
【００５６】
例えば、前記データ電圧のスルーレートは、前記タイミングコントローラ２００によって設定される。前記タイミングコントローラ２００は、前記データ信号（ＤＡＴＡ）及び前記表示パネル１００の位置によるスルーレート情報を、前記データ駆動部５００に出力する。前記データ駆動部５００は、前記タイミングコントローラ２００から受信した前記データ信号（ＤＡＴＡ）及び前記スルーレート情報を基に、前記スルーレートが調節したデータ電圧を生成することができる。前記データ駆動部５００は、前記スルーレートが調節した前記データ電圧を、前記表示パネル１００に出力することができる。
【００５７】
図３は、前記第１の領域（ＰＡ）、前記第２の領域（ＰＢ）、及び前記第３の領域（ＰＣ）のピクセルに出力するデータ電圧の波形を示している。図３に示しているように、前記データ電圧の前記スルーレートは、データ駆動部５００からの距離が遠くなるほど増加する。前記第１の領域（ＰＡ）、前記第２の領域（ＰＢ）、及び前記第３の領域（ＰＣ）のうち、前記データ駆動部５００が前記第１の領域（ＰＡ）のピクセルに出力するデータ電圧のスルーレートがもっとも小さく、前記データ駆動部５００が前記第２の領域（ＰＢ）のピクセルに出力するデータ電圧のスルーレートは、前記データ駆動部５００が前記第１の領域（ＰＡ）のピクセルに出力するデータ電圧のスルーレートよりも大きく、前記データ駆動部５００が前記第３の領域（ＰＣ）のピクセルに出力するデータ電圧のスルーレートが最も大きい。
【００５８】
図４は、前記第１の領域（ＰＡ）、前記第２の領域（ＰＢ）、及び前記第３の領域（ＰＣ）のピクセルで受信されるデータ電圧の波形を示している。図４に示しているように、前記データ電圧の前記スルーレートの調節によって、前記データ駆動部５００からの距離によらず、前記第１の領域（ＰＡ）、前記第２の領域（ＰＢ）、及び前記第３の領域（ＰＣ）のピクセルで受信されるデータ電圧は、同一の波形を有する。結果として、前記データライン（ＤＬ）の配線抵抗による前記表示パネル１００内での位置によるピクセルの充電率偏差を補償することができる。そのため、表示パネル１００の表示品質が向上する。
【００５９】
図５は、図１の表示パネルに出力するデータ電圧のスルーレートを設定する方法の一例を説明するための表示パネルの概念図である。
【００６０】
図１〜図５に示しているように、前記データ電圧の前記スルーレートは、データ駆動部５００からの距離が遠くなるほど、逐次増加する。
【００６１】
例えば、前記データ電圧の前記スルーレートは、前記データ駆動部５００から遠くなるほど、線形的に増加する。前記データライン（ＤＬ）の配線抵抗は、配線の幅が一定であると、前記データ駆動部５００からの距離に比例して線形的に増加するので、本実施例において、前記データ電圧の前記スルーレートを線形的に増加させることができる。
【００６２】
前記データ電圧のスルーレートを増加するために、前記表示パネル１００内に、複数のスルーレートポイントを設定することができる。例えば、前記表示パネル１００内に、５つのスルーレートポイント（ＳＬ１、ＳＬ２、ＳＬ３、ＳＬ４、ＳＬ５）を設定することができる。
【００６３】
前記表示パネル１００内の５つのスルーレートポイント（ＳＬ１、ＳＬ２、ＳＬ３、ＳＬ４、ＳＬ５）の間隔は、同一である。第１のスルーレートポイント（ＳＬ１）及び第２のスルーレートポイント（ＳＬ２）の間隔である第１間隔（ＧＰ１）、第２のスルーレートポイント（ＳＬ２）及び第３のスルーレートポイント（ＳＬ３）の間隔である第２間隔（ＧＰ２）、第３のスルーレートポイント（ＳＬ３）及び第４のスルーレートポイント（ＳＬ４）の間隔である第３間隔（ＧＰ３）、及び第４のスルーレートポイント（ＳＬ４）及び第５のスルーレートポイント（ＳＬ５）の間隔である第４間隔（ＧＰ４）は、いずれも同一である。
【００６４】
前記タイミングコントローラ２００は、前記５つのスルーレートポイント（ＳＬ１、ＳＬ２、ＳＬ３、ＳＬ４、ＳＬ５）のスルーレートを設定することができる。前記スルーレートポイント（ＳＬ１、ＳＬ２、ＳＬ３、ＳＬ４、ＳＬ５）は、前記表示パネル１００内のピクセルの座標である。前記第１のスルーレートポイント（ＳＬ１）のスルーレート、前記第２のスルーレートポイント（ＳＬ２）のスルーレート、前記第３のスルーレートポイント（ＳＬ３）のスルーレート、前記第４のスルーレートポイント（ＳＬ４）のスルーレート、及び前記第５のスルーレートポイント（ＳＬ５）のスルーレートは、線形的に増加する。そのため、前記データ電圧の前記スルーレートの増加幅は、前記データ駆動部５００からの距離によらず、一定である。
【００６５】
前記スルーレートポイント（ＳＬ１、ＳＬ２、ＳＬ３、ＳＬ４、ＳＬ５）間の領域は、前記スルーレートポイント（ＳＬ１、ＳＬ２、ＳＬ３、ＳＬ４、ＳＬ５）のスルーレートを補間して設定することができる。
【００６６】
図６は、図１の表示パネルに出力するデータ電圧のスルーレートを設定する方法の一例を説明するための表示パネルの概念図である。
【００６７】
図１〜図４及び、図６に示しているように、前記データ電圧の前記スルーレートは、データ駆動部５００からの距離が遠くなるほど、逐次増加する。
【００６８】
例えば、前記データ電圧の前記スルーレートは、前記データ駆動部５００から遠くなるほど、非線形的に増加する。前記データライン（ＤＬ）の配線抵抗は、配線の幅が一定であると、前記データ駆動部５００からの距離に比例して線形的に増加するが、前記ピクセルに充電されるデータ電圧の充電率は、前記ピクセルのスイッチング素子の特性及び液晶層の特性などによって、非線形的に減少する。そのため、本実施例において、前記データ電圧の前記スルーレートを、非線形的に増加することができる。
【００６９】
前記データ電圧のスルーレートを増加するために、前記表示パネル１００内に複数のスルーレートポイントを設定することができる。例えば、前記表示パネル１００内に、５つのスルーレートポイント（ＳＬ１、ＳＬ２、ＳＬ３、ＳＬ４、ＳＬ５）を設定することができる。
【００７０】
前記表示パネル１００内の５つのスルーレートポイント（ＳＬ１、ＳＬ２、ＳＬ３、ＳＬ４、ＳＬ５）の間隔は、互いに異なることがある。第１のスルーレートポイント（ＳＬ１）及び第２のスルーレートポイント（ＳＬ２）の間隔である第１間隔（ＧＰ１）は、第２のスルーレートポイント（ＳＬ２）及び第３のスルーレートポイント（ＳＬ３）の間隔である第２間隔（ＧＰ２）よりも大きい。第２のスルーレートポイント（ＳＬ２）及び第３のスルーレートポイント（ＳＬ３）の間隔である第２間隔（ＧＰ２）は、第３のスルーレートポイント（ＳＬ３）及び第４のスルーレートポイント（ＳＬ４）の間隔である第３間隔（ＧＰ３）よりも大きい。第３のスルーレートポイント（ＳＬ３）及び第４のスルーレートポイント（ＳＬ４）の間隔である第３間隔（ＧＰ３）は、第４のスルーレートポイント（ＳＬ４）及び第５のスルーレートポイント（ＳＬ５）の間隔である第４間隔（ＧＰ４）よりも大きい。
【００７１】
前記タイミングコントローラ２００は、前記５つのスルーレートポイント（ＳＬ１、ＳＬ２、ＳＬ３、ＳＬ４、ＳＬ５）のスルーレートを設定することができる。前記スルーレートポイント（ＳＬ１、ＳＬ２、ＳＬ３、ＳＬ４、ＳＬ５）は、前記表示パネル１００内のピクセルの座標である。
【００７２】
前記第１のスルーレートポイント（ＳＬ１）のスルーレート、前記第２のスルーレートポイント（ＳＬ２）のスルーレート、前記第３のスルーレートポイント（ＳＬ３）のスルーレート、前記第４のスルーレートポイント（ＳＬ４）のスルーレート、及び前記第５のスルーレートポイント（ＳＬ５）のスルーレートは、線形的に増加する。そのため、前記データ電圧の前記スルーレートの増加幅は、前記データ駆動部５００から遠くなるほど増加する。
【００７３】
前記スルーレートポイント（ＳＬ１、ＳＬ２、ＳＬ３、ＳＬ４、ＳＬ５）間の領域は、前記スルーレートポイント（ＳＬ１、ＳＬ２、ＳＬ３、ＳＬ４、ＳＬ５）のスルーレートを補間して設定することができる。
【００７４】
本実施例によると、データライン（ＤＬ）の配線抵抗によるデータ電圧の伝送遅延を補償するために、データ駆動部５００が出力するデータ電圧のスルーレートを調節することができる。そのため、表示パネル１００の表示品質を向上させることができる。
【００７５】
図７は、本発明の一実施例による表示パネルの第１の領域、第２の領域、及び第３の領域のピクセルに出力するデータ電圧を示す波形図である。図８は、図７のデータ電圧を印加した時、前記第１の領域、前記第２の領域、及び前記第３の領域のピクセルに受信されるデータ電圧を示す波形図である。図９は、図７の表示パネルに表示される映像のパターンによって、図７の表示パネルの第１の領域、第２の領域、及び第３の領域のピクセルに出力するデータ電圧を示す波形図である。図１０は、図９のデータ電圧を印加した時、前記第１の領域、前記第２の領域、及び前記第３の領域のピクセルに受信されるデータ電圧を示す波形図である。
【００７６】
本実施例による表示パネルの駆動方法及び表示装置は、前記データ電圧の前記スルーレートが、前記表示パネル内の位置及び前記表示パネルが表示する映像のパターンによって決められることを除くと、図１〜図６の表示パネルの駆動方法及び表示装置と実質的に同一であるので、同一・類似の構成要素に対しては、同じ図面符号を付し、重複される説明は省略する。
【００７７】
図７は、表示パネル１００が、データ駆動部５００に熱を発生させない映像パターンを表示する場合を示している。一方、図９は、表示パネル１００が、データ駆動部５００に熱を発生させる映像パターンを表示する場合を示している。
【００７８】
図７及び図８に示しているように、前記データ電圧の前記スルーレートは、データ駆動部５００からの距離が遠くなるほど、増加する。
【００７９】
図８に示しているように、前記データ電圧の前記スルーレートの調節によって、前記データ駆動部５００からの距離によらず、前記第１の領域（ＰＡ）、前記第２の領域（ＰＢ）、及び前記第３の領域（ＰＣ）のピクセルで受信されるデータ電圧は、同一の波形を有する。結果として、前記データライン（ＤＬ）の配線抵抗による前記表示パネル１００内での位置によるピクセルの充電率偏差を補償することができる。そのため、表示パネル１００の表示品質が向上する。
【００８０】
図９及び図１０に示しているように、前記データ電圧の前記スルーレートは、データ駆動部５００からの距離が遠くなるほど、増加する。
【００８１】
図１０に示しているように、前記データ電圧の前記スルーレートの調節によって、前記データ駆動部５００からの距離によらず、前記第１の領域（ＰＡ）、前記第２の領域（ＰＢ）、及び前記第３の領域（ＰＣ）のピクセルで受信されるデータ電圧は、同一の波形を有する。結果として、前記データライン（ＤＬ）の配線抵抗による前記表示パネル１００内での位置によるピクセルの充電率偏差を補償することができる。そのため、表示パネル１００の表示品質が向上する。
【００８２】
図７及び図９に示しているように、図９における第１の領域（ＰＡ）の前記データ電圧の前記スルーレートは、図７における第１の領域（ＰＡ）の前記データ電圧の前記スルーレートよりも小さい。図９における第２の領域（ＰＢ）の前記データ電圧の前記スルーレートは、図７における第２の領域（ＰＢ）の前記データ電圧の前記スルーレートよりも小さい。図９における第３の領域（ＰＣ）の前記データ電圧の前記スルーレートは、図７における第３の領域（ＰＣ）の前記データ電圧の前記スルーレートよりも小さい。
【００８３】
図９における前記表示パネル１００は、前記データ駆動部５００に熱を発生させる映像パターンを表示するので、図９における前記データ電圧の前記スルーレートは、図７の前記データ電圧の前記スルーレートと比較して小さい。前記データ駆動部５００に熱を発生させる映像パターンが、前記表示パネル１００に表示される場合、前記データ駆動部５００が破損するか、表示装置の消費電力が増加することがあるので、前記データ駆動部５００が出力する前記データ電圧の前記スルーレートを、相対的に減少させることができる。
【００８４】
本実施例において、前記データ電圧の前記スルーレートは、前記表示パネル１００内の位置、及び前記表示パネル１００が表示する映像のパターンによって、決められる。例えば、前記表示パネル１００が表示する前記映像の前記パターンによって、１つのデータラインに出力される前記データ電圧が増加及び減少を繰り返す場合、前記データラインに出力される前記データ電圧の前記スルーレートは、減少される。
【００８５】
例えば、前記データ駆動部５００に熱を発生させる映像パターンは、前記１つのデータラインに出力される前記データ電圧が増加及び減少を繰り返すパターンである。前記１つのデータラインに出力される前記データ電圧が増加及び減少を繰り返すパターンは、横ストライプパターンである。前記１つのデータラインに出力される前記データ電圧が増加及び減少を繰り返すと、前記データ駆動部５００の消費電力及び発熱が増加することになる。
【００８６】
一方、前記データ駆動部５００に熱を発生させない映像パターンは、前記１つのデータラインに出力される前記データ電圧が、一定のレベルを維持するパターンである。前記１つのデータラインに出力される前記データ電圧が一定のレベルを維持するパターンは、単色パターンである。前記１つのデータラインに出力される前記データ電圧が一定のレベルを維持すると、前記データ駆動部５００の消費電力及び発熱が減少することになる。
【００８７】
例えば、前記データ電圧のスルーレートは、前記タイミングコントローラ２００によって設定される。前記タイミングコントローラ２００は、前記表示パネル１００の位置、及び前記表示パネル１００に表示される映像のパターンを基に、前記データ電圧のスルーレートを設定することができる。
【００８８】
本実施例によると、データライン（ＤＬ）の配線抵抗によるデータ電圧の伝送遅延を補償するために、データ駆動部５００が出力するデータ電圧のスルーレートを調節することができる。そのため、表示パネル１００の表示品質を向上させることができる。
【００８９】
図１１は、本発明の一実施例による表示パネル内の位置によるデータ電圧の波形を説明するための表示パネルの概念図である。図１２は、図１１の第１の領域、第２の領域、及び第３の領域のピクセルで受信されるゲート信号及びデータ電圧を示す波形図である。図１３は、図１１の第１の領域、第２の領域、及び第３の領域のピクセルで受信されるゲート信号、及び前記第１の領域、第２の領域、及び第３の領域のピクセルに出力するデータ電圧を示す波形図である。
【００９０】
本実施例による表示パネルの駆動方法及び表示装置は、前記データ電圧の前記スルーレートが、前記ゲート信号の伝送遅延を補償するために調節されることを除くと、図１〜図６の表示パネルの駆動方法及び表示装置と実質的に同一であるので、同一・類似の構成要素に対しては、同じ図面符号を付し、重複される説明は省略する。
【００９１】
図１及び図１１〜図１３に示しているように、前記ゲート駆動部３００から延在するゲートライン（ＧＬ）に沿って、前記表示パネル１００にゲート信号が出力される。この時、前記ゲートライン（ＧＬ）の配線抵抗によって、前記ゲート信号の電波が遅延する。
【００９２】
図１１において、第１の領域（ＰＡ）、第２の領域（ＰＢ）、及び第３の領域（ＰＣ）のうち、前記第１の領域（ＰＡ）は、前記ゲート駆動部３００からの距離がもっとも近く、前記第２の領域（ＰＢ）は、前記ゲート駆動部３００からの距離が前記第１の領域よりも遠く、前記第３の領域（ＰＣ）は、前記ゲート駆動部３００からの距離が最も遠い。
【００９３】
前記第１の領域（ＰＡ）、前記第２の領域（ＰＢ）、及び前記第３の領域（ＰＣ）は、同じ行にあるので、同一のゲート信号が出力されることと見られる。前記第１の領域（ＰＡ）、前記第２の領域（ＰＢ）、及び前記第３の領域（ＰＣ）のうち、前記第３の領域（ＰＣ）のピクセルで受信されるゲート信号（ＧＣ）の電波遅延がもっとも大きく、前記第２の領域（ＰＢ）のピクセルで受信されるゲート信号（ＧＢ）の電波遅延は、前記第３の領域（ＰＣ）よりも小さく、前記第１の領域（ＰＡ）のピクセルで受信されるゲート信号（ＧＡ）の電波遅延が最も小さい。
【００９４】
前記第１の領域（ＰＡ）、前記第２の領域（ＰＢ）、及び前記第３の領域（ＰＣ）に、同一レベルのデータ電圧（ＤＡ、ＤＢ、ＤＣ）を出力する場合、前記ゲート信号の電波遅延によって、前記第１の領域（ＰＡ）、前記第２の領域（ＰＢ）、及び前記第３の領域（ＰＣ）のうち、前記第３の領域（ＰＣ）のピクセルの充電率がもっとも小さく、前記第２の領域（ＰＢ）のピクセルの充電率は、前記第３の領域（ＰＣ）よりも大きく、前記第１の領域（ＰＡ）のピクセルの充電率が最も大きい。
【００９５】
前記表示パネル１００内の位置による前記ピクセルの充電率の偏差によって、前記表示パネル１００にアーティファクトが生じることがある。例えば、同一階調に対して、前記ゲート駆動部３００と距離が遠い前記表示パネル１００の右側部の輝度が、前記ゲート駆動部３００と近い前記表示パネル１００の左側部の輝度よりも暗い。
【００９６】
前記表示パネル１００内での位置による充電率偏差を補償するため、前記データ駆動部５００は、前記表示パネル１００内の位置によって、互いに異なるスルーレートを有する前記データ電圧を出力することができる。
【００９７】
図１３は、前記第１の領域（ＰＡ）、前記第２の領域（ＰＢ）、及び前記第３の領域（ＰＣ）のピクセルに出力されるデータ電圧の波形（ＤＡＣ、ＤＢＣ、ＤＣＣ）を示す。図１３に示しているように、前記データ電圧の前記スルーレートは、ゲート駆動部３００からの距離が遠くなるほど、増加する。前記第１の領域（ＰＡ）、前記第２の領域（ＰＢ）、及び前記第３の領域（ＰＣ）のうち、前記データ駆動部５００が前記第１の領域（ＰＡ）のピクセルに出力するデータ電圧のスルーレートがもっとも小さく、前記データ駆動部５００が前記第２の領域（ＰＢ）のピクセルに出力するデータ電圧のスルーレートは、前記データ駆動部５００が前記第１の領域（ＰＡ）のピクセルに出力するデータ電圧のスルーレートよりも大きく、前記データ駆動部５００が前記第３の領域（ＰＣ）のピクセルに出力するデータ電圧のスルーレートが最も大きい。
【００９８】
図示していないが、前記第１の領域（ＰＡ）、前記第２の領域（ＰＢ）、及び前記第３の領域（ＰＣ）のピクセルで受信されるデータ電圧の波形は、前記第１の領域（ＰＡ）、前記第２の領域（ＰＢ）、及び前記第３の領域（ＰＣ）のピクセルに出力するデータ電圧の波形（ＤＡＣ、ＤＢＣ、ＤＣＣ）に類似した波形を有する。例えば、前記第１の領域（ＰＡ）、前記第２の領域（ＰＢ）、及び前記第３の領域（ＰＣ）のピクセルで受信されるデータ電圧の波形は、前記第１の領域（ＰＡ）、前記第２の領域（ＰＢ）、及び前記第３の領域（ＰＣ）のピクセルに出力するデータ電圧の波形（ＤＡＣ、ＤＢＣ、ＤＣＣ）から、データライン（ＤＬ）の電波遅延が適用された波形である。
【００９９】
図１３に示しているように、前記ゲート信号の電波遅延が大きい領域（ＰＣ）には、相対的にスルーレートが大きいデータ電圧を印加し、前記ゲート信号の電波遅延が小さい領域（ＰＡ）には、相対的にスルーレートが小さいデータ電圧を印加して、ゲートライン（ＧＬ）の配線抵抗による前記表示パネル１００内での位置によるピクセルの充電率偏差を補償することができる。そのため、表示パネル１００の表示品質が向上する。
【０１００】
本実施例によると、ゲートライン（ＧＬ）の配線抵抗によるゲート信号の伝送遅延を補償するために、データ駆動部５００が出力するデータ電圧のスルーレートを調節することができる。そのため、表示パネル１００の表示品質を向上させることができる。
【０１０１】
図１４は、本発明の一実施例による表示パネル内の位置によるデータ電圧の波形を説明するための表示パネルの概念図である。図１５は、図１４の第１の領域、第２の領域、第３の領域、及び第４の領域のピクセルで受信されるゲート信号及びデータ電圧を示す波形図である。図１６は、図１４の第１の領域、第２の領域、第３の領域、及び第４の領域のピクセルで受信されるゲート信号、及び前記第１の領域、第２の領域、第３の領域、及び第４の領域のピクセルに出力するデータ電圧を示す波形図である。
【０１０２】
本実施例による表示パネルの駆動方法及び表示装置は、前記データ電圧の前記スルーレートが、前記データ電圧の伝送遅延及び前記ゲート信号の伝送遅延をいずれも補償するために調節されることを除くと、図１〜図６の表示パネルの駆動方法及び表示装置と実質的に同一であるので、同一・類似の構成要素に対しては、同じ図面符号を付し、重複される説明は省略する。
【０１０３】
図１及び図１４〜図１６に示しているように、前記ゲート駆動部３００から延在するゲートライン（ＧＬ）に沿って、前記表示パネル１００にゲート信号が出力される。この時、前記ゲートライン（ＧＬ）の配線抵抗によって、前記ゲート信号の電波が遅延する。
【０１０４】
図１４において、第１の領域（ＰＡ）及び第３の領域（ＰＣ）のうち、第１の領域（ＰＡ）は、前記データ駆動部５００からの距離が近く、前記第３の領域（ＰＣ）は、前記データ駆動部５００からの距離が、前記第１の領域（ＰＡ）よりも遠い。
【０１０５】
前記第１の領域（ＰＡ）及び前記第３の領域（ＰＣ）に同一のデータ電圧が出力される時、前記第１の領域（ＰＡ）及び前記第３の領域（ＰＣ）のうち、前記第３の領域（ＰＣ）のピクセルで受信されるデータ電圧（ＤＣ）の電波遅延が大きく、前記第１の領域（ＰＡ）のピクセルで受信されるデータ電圧（ＤＡ）の電波遅延が、前記第３の領域（ＰＣ）よりも小さい。
【０１０６】
図１４において、第１の領域（ＰＡ）及び第２の領域（ＰＢ）のうち、第１の領域（ＰＡ）は、前記ゲート駆動部３００からの距離が近く、前記第２の領域（ＰＢ）は、前記ゲート駆動部３００からの距離が、前記第１の領域（ＰＡ）よりも遠い。
【０１０７】
前記第１の領域（ＰＡ）及び前記第２の領域（ＰＢ）は、同じ行にあるので、同一のゲート信号が出力されることと見られる。前記第１の領域（ＰＡ）及び前記第２の領域（ＰＢ）のうち、前記第２の領域（ＰＢ）のピクセルで受信されるゲート信号（ＧＢ）の電波遅延が大きく、前記第１の領域（ＰＡ）のピクセルで受信されるゲート信号（ＧＡ）の電波遅延が、前記第２の領域（ＰＢ）よりも小さい。
【０１０８】
図１４において、第１の領域（ＰＡ）及び第４の領域（ＰＤ）のうち、第１の領域（ＰＡ）は、前記ゲート駆動部３００及び前記データ駆動部５００からの距離が近く、前記第４の領域（ＰＤ）は、前記ゲート駆動部３００及び前記データ駆動部５００からの距離が、前記第１の領域（ＰＡ）よりも遠い。
【０１０９】
前記第１の領域（ＰＡ）及び前記第４の領域（ＰＤ）に同一のデータ電圧が出力される時、前記第１の領域（ＰＡ）及び前記第４の領域（ＰＤ）のうち、前記第４の領域（ＰＤ）のピクセルで受信されるデータ電圧（ＤＤ）の電波遅延が大きく、前記第１の領域（ＰＡ）のピクセルで受信されるデータ電圧（ＤＡ）の電波遅延が、前記第４の領域（ＰＤ）よりも小さい。
【０１１０】
前記第１の領域（ＰＡ）及び前記第４の領域（ＰＤ）のうち、前記第４の領域（ＰＤ）のピクセルで受信されるゲート信号（ＧＤ）の電波遅延が大きく、前記第１の領域（ＰＡ）のピクセルで受信されるゲート信号（ＧＡ）の電波遅延が、前記第４の領域（ＰＤ）よりも小さい。
【０１１１】
前記第１の領域（ＰＡ）〜前記第４の領域（ＰＤ）に同一のレベルのデータ電圧（ＤＡ、ＤＢ、ＤＣ、ＤＤ）を出力する場合、前記ゲート信号及び前記データ電圧の電波遅延によって、前記第１の領域（ＰＡ）〜前記第４の領域（ＰＤ）のうち、前記第４の領域（ＰＤ）のピクセルの充電率がもっとも小さく、前記第１の領域（ＰＡ）のピクセルの充電率が最も大きい。
【０１１２】
前記表示パネル１００内の位置による前記ピクセルの充電率の偏差によって、前記表示パネル１００にアーティファクトが生じることがある。
【０１１３】
前記表示パネル１００内での位置による充電率偏差を補償するため、前記データ駆動部５００は、前記表示パネル１００内の位置によって、互いに異なるスルーレートを有する前記データ電圧を出力することができる。
【０１１４】
図１６は、前記第１の領域（ＰＡ）、前記第２の領域（ＰＢ）、前記第３の領域（ＰＣ）、及び前記第４の領域（ＰＤ）のピクセルに出力するデータ電圧の波形（ＤＡＣ、ＤＢＣ、ＤＣＣ、ＤＤＣ）を示す。図１６に示しているように、前記データ電圧の前記スルーレートは、データ駆動部５００からの距離が遠くなるほど増加し、前記データ電圧の前記スルーレートは、ゲート駆動部３００からの距離が遠くなるほど増加する。
【０１１５】
図１６に示しているように、前記ゲート信号の電波遅延及びデータ電圧の電波遅延が大きい領域（ＰＤ）には、相対的にスルーレートが大きいデータ電圧を印加し、前記ゲート信号の電波遅延及びデータ電圧の電波遅延が小さい領域（ＰＡ）には、相対的にスルーレートが小さいデータ電圧を印加して、ゲートライン（ＧＬ）の配線抵抗及びデータライン（ＤＬ）の配線抵抗による前記表示パネル１００内での位置によるピクセルの充電率偏差を補償することができる。そのため、表示パネル１００の表示品質が向上する。
【０１１６】
本実施例によると、ゲートライン（ＧＬ）の配線抵抗及びデータライン（ＤＬ）の配線抵抗によるゲート信号の伝送遅延及びデータ電圧の伝送遅延を補償するために、データ駆動部５００が出力するデータ電圧のスルーレートを調節することができる。そのため、表示パネル１００の表示品質を向上させることができる。
【０１１７】
図１７は、本発明の一実施例によるゲート駆動部内の位置によるゲートクロック信号の波形を説明するためのゲート駆動部の概念図である。図１８は、図１７の各ステージに出力するゲートクロック信号を示す波形図である。図１９は、図１７の各ステージにゲートクロック信号を出力した時、前記各ステージに受信されるゲートクロック信号を示す波形図である。
【０１１８】
本実施例による表示パネルの駆動方法及び表示装置は、前記ゲートクロック信号の前記スルーレートが、前記ゲートクロック信号の伝送遅延を補償するために調節されることを除くと、図１〜図６の表示パネルの駆動方法及び表示装置と実質的に同一であるので、同一・類似の構成要素に対しては、同じ図面符号を付し、重複される説明は省略する。
【０１１９】
図１及び図１７〜図１９に示しているように、前記タイミングコントローラ２００は、前記ゲートクロック信号（ＣＬＫ）を、前記ゲート駆動部３００に出力する。
【０１２０】
前記ゲート駆動部３００は、複数のステージ（ＳＴ（１）〜ＳＴ（Ｎ））を含む。前記それぞれのステージ（ＳＴ（１）〜ＳＴ（Ｎ））は、前記ゲートライン（ＧＬ）に連結されると、前記それぞれのステージ（ＳＴ（１）〜ＳＴ（Ｎ））は、ゲート信号（Ｇ１〜ＧＮ）を前記表示パネル１００に出力する。
【０１２１】
図１７において、第１の領域（ＳＴ（１））、第２の領域（ＳＴ（Ｎ／２））、及び第３の領域（ＳＴ（Ｎ））のうち、前記第１の領域（ＳＴ（１））は、前記タイミングコントローラ２００からの距離がもっとも近く、前記第２の領域（ＳＴ（Ｎ／２））は、前記タイミングコントローラ２００からの距離が、前記第１の領域よりも遠く、前記第３の領域（ＳＴ（Ｎ））は、前記タイミングコントローラ２００からの距離が最も遠い。
【０１２２】
前記第１の領域（ＳＴ（１））、第２の領域（ＳＴ（Ｎ／２））、及び第３の領域（ＳＴ（Ｎ））に同一のゲートクロック信号を出力する場合、前記第１の領域（ＳＴ（１））、第２の領域（ＳＴ（Ｎ／２））、及び第３の領域（ＳＴ（Ｎ））のうち、前記第３の領域（ＳＴ（Ｎ））のステージで受信されるゲートクロック信号の電波遅延がもっとも大きく、前記第２の領域（ＳＴ（Ｎ／２））のステージで受信されるゲートクロック信号の電波遅延は、前記第３の領域（ＳＴ（Ｎ））よりも小さく、前記第１の領域（ＳＴ（１））のステージで受信されるゲートクロック信号の電波遅延が最も小さい。
【０１２３】
前記ゲートクロック信号（ＣＬＫ）の電波遅延の差によって、前記表示パネル１００に出力される前記ゲート信号（Ｇ１〜ＧＮ）の波形の差が現れる。前記ゲート信号（Ｇ１〜ＧＮ）の波形の差によって、前記ピクセルの充電率が異なる。
【０１２４】
図１８は、前記タイミングコントローラ２００が、前記各ステージ（ＳＴ（１）〜ＳＴ（Ｎ））に出力するゲートクロック信号（ＣＬＫ）の波形を示す。図１８に示しているように、前記ゲートクロック信号（ＣＬＫ）の前記スルーレートは、タイミングコントローラ２００からの距離が遠くなるほど増加する。前記第１の領域（ＳＴ（１））、前記第２の領域（ＳＴ（Ｎ／２））、及び前記第３の領域（ＳＴ（Ｎ））のうち、前記第１の領域（ＳＴ（１））のステージに出力するゲートクロック信号（ＣＬＫ）のスルーレートがもっとも小さく、前記第３の領域（ＳＴ（Ｎ））のステージに出力するゲートクロック信号（ＣＬＫ）のスルーレートが最も大きい。
【０１２５】
図１９は、前記タイミングコントローラ２００が、前記各ステージ（ＳＴ（１）〜ＳＴ（Ｎ））で受信されるゲートクロック信号（ＣＬＫ）の波形を示す。図１９に示しているように、前記ゲートクロック信号の前記スルーレートの調節によって、前記タイミングコントローラ２００からの距離によらず、前記第１の領域（ＳＴ（１））、前記第２の領域（ＳＴ（Ｎ／２））、及び前記第３の領域（ＳＴ（Ｎ））のステージで受信されるゲートクロック信号（ＣＬＫ）は、同一の波形を有する。結果として、前記ゲートクロックラインの配線抵抗による前記表示パネル１００内での位置によるピクセルの充電率偏差を補償することができる。そのため、表示パネル１００の表示品質が向上する。
［産業上利用可能性］
【０１２６】
以上で説明した本発明による表示パネルの駆動方法及び表示装置によると、配線抵抗によって発生するピクセルの充電率偏差を補償して、表示品質を向上させることができる。
【０１２７】
以上、実施例を参照して説明したが、該当技術の分野における熟練した当業者は、下記の請求の範囲に記載された本発明の思想及び領域から逸脱しない範囲内で、本発明を様々に修正及び変更可能であることは、理解されるべきである。
【符号の説明】
【０１２８】
１００：  表示パネル
２００：  タイミングコントローラ
３００：  ゲート駆動部
４００：  ガンマ基準電圧生成部
５００：  データ駆動部
【図１】
2018018084.tif 000003
【図２】
2018018084.tif 000004
【図３】
2018018084.tif 000005
【図４】
2018018084.tif 000006
【図５】
2018018084.tif 000007
【図６】
2018018084.tif 000008
【図７】
2018018084.tif 000009
【図８】
2018018084.tif 000010
【図９】
2018018084.tif 000011
【図１０】
2018018084.tif 000012
【図１１】
2018018084.tif 000013
【図１２】
2018018084.tif 000014
【図１３】
2018018084.tif 000015
【図１４】
2018018084.tif 000016
【図１５】
2018018084.tif 000017
【図１６】
2018018084.tif 000018
【図１７】
2018018084.tif 000019
【図１８】
2018018084.tif 000020
【図１９】
2018018084.tif 000021